(57)【要約】【課題】意匠性を向上しつつ、衛生面の向上が可能である天井埋込型空気調和機を提供する。【解決手段】シロッコファン２０及び熱交換器１７を収容し、天井Ｃ内に埋め込まれて設置可能な筐体１１と、筐体１１の下方を覆い室内に露出されるパネル１２と、を備え、パネル１２は、中央部３２と、中央部３２の周縁に沿って延設されて互いに隔離された吸込口及び吹出口１４と、を有している。また、筐体１１内には吸込口と連通した吸込側空間１６が設けられ、吸込側空間１６内に複数のシロッコファン２０及びシロッコファン２０の吸込側開口部２２が設けられている。【選択図】図４
2019011928.tif 000002
【特許請求の範囲】
【請求項１】
ファン及び熱交換器を収容し、天井内に埋め込まれて設置可能な筐体と、
前記筐体の下方を覆い室内に露出されるパネルと、
を備え、
前記パネルは、
中央部と、
前記中央部の周縁に沿って延設されて互いに隔離された吸込口及び吹出口と、を有する天井埋込型空気調和機。
【請求項２】
前記筐体内に前記吸込口と連通した吸込側空間が設けられ、前記吸込側空間内に複数の前記ファン及び該ファンの吸込側開口部が設けられている請求項１に記載の天井埋込型空気調和機。
【請求項３】
前記ファンとして前記吸込空間内に配置され、前記吹出口に接続されたダクトを一つずつ有する複数のシロッコファンと、
前記吸込側空間を区画するとともに、前記筐体に設けられたフィルタと、
をさらに備え、
前記シロッコファンの回転軸が水平方向に延びるとともに、前記ダクトが下方に向かって延びて前記吹出口に接続されている請求項２に記載の天井埋込型空気調和機。
【請求項４】
前記熱交換器は、複数の前記シロッコファンの外面に沿って配置されている請求項３に記載の天井埋込型空気調和機。
【請求項５】
前記フィルタは前記熱交換器を囲うような一枚布状をなしている請求項３又は４に記載の天井埋込型空気調和機。
【請求項６】
一枚布状の前記フィルタを回転させるフィルタ回転装置と、
前記フィルタを自動で掃除可能なフィルタ掃除装置と、
前記フィルタ掃除装置によって除去されたゴミを収集する収集箱と、
をさらに備えている請求項５に記載の天井埋込型空気調和機。
【請求項７】
前記収集箱を降下させる降下装置をさらに備えている請求項６に記載の天井埋込型空気調和機。
【請求項８】
前記吹出口に近接して、上下方向に風向を調整する上下方向ルーバ、及び、左右方向に風向を調整する左右方向ルーバが設けられている請求項１から７の何れか一項に記載の天井埋込型空気調和機。
【請求項９】
前記吸込口の開口面積は前記吹出口の開口面積よりも大きい請求項１から８の何れか一項に記載の天井埋込型空気調和機。
【請求項１０】
前記中央部には室内照明が配設されている請求項１から９の何れか一項に記載の天井埋込型空気調和機。
【発明の詳細な説明】
【技術分野】
【０００１】
本発明は、天井埋込型空気調和機に関する。
【背景技術】
【０００２】
従来から、天井埋込型の空気調和機が知られている（例えば特許文献１）。天井埋込型空気調和機の室内機では、ファン及び熱交換器を収容して下向きに開口した筐体が室内天井に配置されている。筐体の下側には、中央部分に大きな開口部を有して筐体に固定された下面パネルと、下面パネルの開口部を覆う吸込グリル及びエアフィルタと、が設けられている。また下面パネルには四方の辺に沿って吹出口が設けられている。
【０００３】
稼働時には、下面パネルの中央部分の吸込グリル及びエアフィルタを透過して室内の空気を吸込み、筐体内の熱交換器で熱交換が行われ、各吹出口を通じて室内に熱交換後の空気が送り出されるようになっている。
【先行技術文献】
【特許文献】
【０００４】
【特許文献１】特開２００７−２８５６２９号公報
【発明の概要】
【発明が解決しようとする課題】
【０００５】
しかしながら、上述のように従来の天井埋込型空気調和機では、構造上、中央部分の広い範囲に吹込グリルが配置されて周囲に吹出口が配置されたものになる。このため、室内から吹込グリルの部分が視認可能であり、すっきりとした外観にすることは難しい。
また中央部分の吹込グリルやエアフィルタは、使用期間中に室内の空気を常時吸込んでいる。このため、吹込グリルやエアフィルタの外表面に塵埃が付着堆積したり汚れが付着したりし易く、外観の美観低下のみならず、衛生面の問題もあった。
【０００６】
そこで本発明は、意匠性を向上しつつ、衛生面で優れた天井埋込型空気調和機を提供することを目的とする。
【課題を解決するための手段】
【０００７】
本発明の第一の態様の天井埋込型空気調和機は、ファン及び熱交換器を収容し、天井内に埋め込まれて設置可能な筐体と、前記筐体の下方を覆い室内に露出されるパネルと、を備え、前記パネルは、中央部と、前記中央部の周縁に沿って延設されて互いに隔離された吸込口及び吹出口と、を有している。
【０００８】
本態様によれば、パネルの中央部の周縁に吸込口及び吹出口が設けられているので、パネルの中央部に吸込口及び吹出口を設ける必要がない。従って、使用者が視認できる範囲に大きな吸込口が配置されることがなくなり、すっきりとした印象を使用者に与えることができる。さらに、パネルの中央部分に纏まった広い面積の吸込口やフィルタを配置しないことで、吸込口やフィルタに付着した塵埃が下方に落下してしまうことを抑制できる。
さらに吸込口及び吹出口を互いに隔離して設けることで、吹出口から吹き出された空気がそのまま吸込口に吸い込まれるといったショートサーキットが発生してしまう可能性を低減できる。
【０００９】
本発明の第二の態様の天井埋込型空気調和機によれば、前記筐体内に前記吸込口と連通した吸込側空間が設けられ、前記吸込側空間内に複数の前記ファン及び該ファンの吸込側開口部が設けられていてもよい。
【００１０】
この構成によれば、吸込口から連通した吸込側空間に複数のファンを設けるので、全体の吸込流量及び吹出流量を確保できる。また各ファンの吸込側開口部が筐体内の吸込側空間内に開口するので、各ファンの吸込側開口部を広く確保し易く、気流の流動抵抗が増加することを防止でき、空気の吸込音やファンの羽根車を駆動するモーターで発生する音等の騒音の増加や熱交換性能の低下などを抑制できる。
【００１１】
本発明の第三の態様の天井埋込型空気調和機によれば、前記ファンとして前記吸込空間内に配置され、前記吹出口に接続されたダクトを一つずつ有する複数のシロッコファンと、前記吸込側空間を区画するとともに、前記筐体に設けられたフィルタと、をさらに備え、前記シロッコファンの回転軸が水平方向に延びるとともに、前記ダクトが下方に向かって延びて前記吹出口に接続されていてもよい。
【００１２】
この構成によれば、フィルタにより区画されて設けられた吸込側空間に、シロッコファンが立設状態で収容されていることになる。よって、占有スペースを抑えつつ複数のシロッコファンを配置できる。そのため複数のシロッコファンを用いていても筐体内を簡素にコンパクトに構成することができる。さらに、例えば各吹出口の数量と同数のシロッコファンを設けることができる。
【００１３】
本発明の第四の態様の天井埋込型空気調和機によれば、前記熱交換器は、複数の前記シロッコファンの外面に沿って配置されていてもよい。
【００１４】
この構成によれば、熱交換器がシロッコファンの外面に沿って配置されているので、例えば、熱交換器を筐体の内面から離れた位置に配置することができ、熱交換器と筐体の内面との間の空間を確保でき、空気を吸込む際の圧力損失を低減できる。また、熱交換器をシロッコファンの外面に沿うように折り曲げて配置することで、熱交換面積をより広く確保することができ、熱交換性能を向上することができる。
【００１５】
本発明の第五の態様の天井埋込型空気調和機によれば、前記フィルタは前記熱交換器を囲うような一枚布状をなしていてもよい。
この構成によれば、例えばフィルタをロール状にして巻き取る事で、ゴミがなく圧力損失の少ないフィルタとする事ができ、メンテナンスなしに羽根車の動力の少ない空気調和機を提供する事ができる。
【００１６】
本発明の第六の態様の天井埋込型空気調和機は、一枚布状の前記フィルタを回転させるフィルタ回転装置と、前記フィルタを自動で掃除可能なフィルタ掃除装置と、前記フィルタ掃除装置によって除去されたゴミを収集する収集箱とをさらに備えていてもよい。
この構成によれば、フィルタ掃除装置によって定期的に自動掃除させるので、ゴミの少ないフィルタで空気調和機を運転する事ができ、メンテナンスなしに羽根車の動力の少ない空気調和機を提供する事ができる。
【００１７】
本発明の第七の態様の天井埋込型空気調和機は、前記収集箱を降下させる降下装置をさらに備えていてもよい。
ゴミを取り除くのに脚立などを用意することなしに、スイッチ一つでゴミの入った収集箱を床面付近まで降ろす事ができる。
【００１８】
本発明の第八の態様の天井埋込型空気調和機によれば、前記吹出口に近接して、上下方向に風向を調整する上下方向ルーバ、及び、左右方向に風向を調整する左右方向ルーバが設けられていてもよい。
【００１９】
この構成によれば、パネルの中央部の周縁に沿って吸込口及び吹出口が設けられることで吹出口の開口方向が制限されても、吹出方向を広い範囲で調整することができる。
【００２０】
本発明の第九の態様の天井埋込型空気調和機によれば、前記吸込口の開口面積は前記吹出口の開口面積よりも大きくなっていてもよい。
【００２１】
この構成によれば、空気の吸込み時の流速に比べて空気の吹出し時の流速を大きくできるため、吹出口から吹き出された空気がそのまま吸込口に吸い込まれてしまうといったショートサーキットの発生を抑制できる。
【００２２】
本発明の第十の態様の天井埋込型空気調和機によれば、前記中央部には室内照明が配設されていてもよい。
この構成によれば、パネルの中央部が室内天井に大きく設けられていても、中央部のスペースを有効に活用できるとともに、室内照明を設けることで室内天井の意匠性を向上できる。
【発明の効果】
【００２３】
上記の天井埋込型空気調和機によれば、意匠性を向上しつつ、衛生面の向上が可能である。
【図面の簡単な説明】
【００２４】
【図１】本発明の実施形態に係る天井埋込型空気調和機を天井に設置した状態を示す斜視図である。
【図２】本発明の実施形態に係る天井埋込型空気調和機の中央パネルを開いた状態の斜視図である。
【図３】本発明の実施形態に係る天井埋込型空気調和機の中央パネルを外した状態の底面図である。
【図４】本発明の実施形態に係る天井埋込型空気調和機を示す縦断面図であって、図３のＡ−Ａ断面図である。
【図５】本発明の実施形態の変形例に係る天井埋込型空気調和機の中央パネルを外した状態の底面図である。
【図６】本発明の実施形態の変形例に係る天井埋込型空気調和機のフィルタの動作を模式的に示す図である。
【図７】本発明の実施形態の変形例に係る天井埋込型空気調和機のフィルタ、フィル回転装置、フィルタ装置、ゴミ収集箱、及びゴミ収集箱降下装置を示す斜視図であって、図５のＸ部を示すものである。
【発明を実施するための形態】
【００２５】
以下、図１から図４を参照し、本発明の実施形態に係る天井埋込型空気調和機１０について説明する。以下、天井埋込型空気調和機１０とは室内機について説明を行い、室外機については説明を省略する。
本実施形態の天井埋込型空気調和機１０は、図１及び図２に示すように、天井Ｃ内に埋設される筐体１１と、天井Ｃの室内側に配置されて露出されるパネル１２と、を備えている。
筐体１１は略四角柱形状を有し、四方及び上部が外壁により囲まれて、下方に大きな開口が設けられている。パネル１２は略四角形状を有し、筐体１１の下方の開口を閉塞している。パネル１２には、四辺に沿って複数の吸込口１３が設けられるとともに、四隅に複数の吹出口１４が設けられている。
【００２６】
図３及び図４に示すように、筐体１１の内部には吸込側空間１６が設けられている。また、筐体１１の四方の外壁にはフィルタ１５が設けられている。より具体的には、本実施形態のフィルタ１５は上下に延びた平坦な板状に形成されている。複数のフィルタ１５がパネル１２の上方で、吸込口１３より内側の位置に、筐体１１の外壁に沿うように配置されている。筐体１１の外壁と複数のフィルタ１５とによって筐体１１の内部の吸込側空間１６が囲まれている。
【００２７】
ここで、天井埋込型空気調和機１０はさらに吸込側空間１６に収容された熱交換器１７と、羽根車２３を一つずつ有する複数のシロッコファン２０とを備えている。
各々のシロッコファン２０は、上記羽根車２３を一つずつ有しているとともに、羽根車２３を収容して側面に吸込側開口部２２を有するスクロールケーシング２１と、スクロールケーシング２１に接続されて羽根車２３から下方に延びるディフューザ（ダクト）２４とを一つずつ有している。本実施形態ではシロッコファン２０は例えば四つ設けられている。
【００２８】
本実施形態では、各シロッコファン２０が立てられた状態で配置されて筐体１１に固定されている。これにより吸込側開口部２２が側方に向いて開口するとともに、羽根車２３の回転軸が横方向(水平方向)に延びるように配置されている。
【００２９】
各々のスクロールケーシング２１は、吸込側空間１６の中心側に配置されている。またスクロールケーシング２１は互いに隣り合って配置されて、互いに結合されている。スクロールケーシング２１同士は互いに離れて配置されていてもよい。
【００３０】
各ディフューザ２４は、スクロールケーシング２１が配置された吸込側空間１６の中心側から外方に向かって下方に向かって延びることで放射状に配置されている。各々のディフューザ２４の先端側は、それぞれパネル１２の四隅の吹出口１４に接続されている。
【００３１】
吹出口１４に接続される各々のディフューザ２４の先端側には、吐出される空気の気流の上下方向の向きを調整する上下方向ルーバ２５と、吐出される空気の気流の左右方向（水平方向）の向きを調整する左右方向ルーバ２６と、が設けられている。
本実施形態では上下方向ルーバ２５及び左右方向ルーバ２６がそれぞれ図示しない駆動装置（ステッピングモーターやアクチュエータ）により駆動可能となっている。本実施形態では上下方向ルーバ２５よりも左右方向ルーバ２６の方が羽根車２３に近い側に設けられているが、設置位置は限定されないため、上下方向ルーバ２５の方が羽根車２３に近い側に設けられていてもよい。また、上下方向ルーバ２５、及び左右方向ルーバ２６のうちのいずれか一方を設けてもよい。
【００３２】
熱交換器１７は、図示しない室外熱交換器との間で冷媒を循環する冷媒配管１８を有して構成されており、熱交換器１７の鉛直下方にはドレンパン１９が設置されている。
熱交換器１７は、吸込側空間１６内で複数のシロッコファン２０の羽根車２３を連続して取り囲んで配置され、さらに隣り合うシロッコファン２０の間の空間内にも、湾曲（又は屈曲）してシロッコファン２０の外面に沿って挿入されている。
【００３３】
そのため底面視では図３に示すように、熱交換器１７の冷媒配管１８及びドレンパン１９は各シロッコファンのディフューザ２４の位置で外側に向けて膨むとともに、ディフューザ２４間で中心側へ向けて凹んだ略星形形状をなしている。
【００３４】
パネル１２は、筐体１１の周囲に固定されて枠状に配置されたパネル本体３１と、筐体１１の中央側に配置された中央部３２とを有している。
パネル本体３１は、筐体１１に対応して底面視で略四角形形状を有し、中央側が大きく開口している。
【００３５】
中央部３２は底面視でパネル本体３１より小さい略四角形状の板状に形成されている。中央部３２の外周縁部３２ａと、パネル本体３１の内側縁部３１ａとは略同一の位置に配置されている。
中央部３２の裏面側、即ち上側には、天井埋込型空気調和機１０の制御部を含む電装品３３が配設されている。そして本実施形態では、中央部３２の表面側、即ち下側には、ＬＥＤや有機ＥＬ（エレクトロルミネッセンス）を用いた室内照明３４が配設されている。
【００３６】
本実施形態では、パネル本体３１と中央部３２との間の間隙が上記の吹出口１４及び上記の吸込口１３となっている。吹出口１４及び吸込口１３は中央部３２の外周縁部３２ａに沿って配置されている。吹出口１４は、上述の通りシロッコファン２０のディフューザ２４に接続されている。ディフューザ２４の壁面によって、吹出口１４と吸込口１３とは互いに隔離されている。吸込口１３は、隣り合うディフューザ２４同士の間に配置されて中央部３２の四辺に沿う間隙であり、ディフューザ２４間の略全長に形成されている。吸込口１３は室内空間から筐体１１内の吸込側空間１６までを連通している。各々の吸込口１３は、各々の吹出口１４よりも開口面積が大きくなっている。
【００３７】
以上のような本実施形態の天井埋込型空気調和機１０によれば、パネル１２の中央部３２の外周縁部３２ａに吸込口１３及び吹出口１４が設けられているので、パネル１２の中央部３２に吸込口１３及び吹出口１４を設ける必要がない。従って、使用者が視認できる範囲に大きな吸込口が配置されることがなくなり、すっきりとした印象を使用者に与えることができる。さらに、パネル１２の中央部３２の中央部分に纏まった広い面積の吸込口やフィルタを配置しないことで、吸込口やフィルタに付着した塵埃が下方に落下してしまうことを抑制できる。
【００３８】
また吸込口１３及び吹出口１４が中央部３２の外周縁部３２ａに沿って延設されているので、中央部３２を大きく設けて周長を長く確保することで、吸込口１３及び吹出口１４に十分な開口面積を確保でき、流動抵抗を抑えて騒音を防止したり、熱交換性能等を確保したりできる。
【００３９】
さらに吸込口１３及び吹出口１４を互いに隔離して設けることで、吹出口１４から吹き出された空気がそのまま吸込口１３に吸い込まれるといったショートサーキットを抑制できる。
【００４０】
さらに、本実施形態の天井埋込型空気調和機１０によれば、吸込口１３に連通した筐体１１内の吸込側空間１６に複数のシロッコファン２０を設けているので、全体の吸込流量及び吹出流量を確保できる。またシロッコファン２０のレイアウトを様々に変更することも可能である。また各シロッコファン２０の吸込側開口部２２が筐体１１内の吸込側空間１６内に開口するので、各シロッコファン２０の吸込側開口部２２を広く確保し易く、気流の流動抵抗が増加することを防止でき、空気の吸込音やファンを駆動するモーター（不図示）で発生する音等の騒音の増加や熱交換性能の低下などを抑制できる。
【００４１】
またフィルタ１５により区画されて設けられた吸込側空間１６に、シロッコファン２０が立設状態で収容されているので、占有スペースを抑えつつ複数のシロッコファン２０を設けることができる。また、フィルタ１５を簡素な形状でコンパクトに纏めて筐体１１に配設でき、フィルタ１５の交換も容易である。
【００４２】
特にシロッコファン２０の吸込側開口部２２が側方に向けて開口するように配置されているので、吸込側開口部２２が大きく開口していても、水平方向の占有面積を小さく抑えることができる。
そのため複数のシロッコファン２０を用いていても、筐体１１内を簡素に、かつ、コンパクトに構成することが可能である。
【００４３】
さらに、本実施形態では熱交換器１７が複数のシロッコファン２０を取り囲むとともにこれらの複数のシロッコファン２０の間の空間に間挿されている。そのため吸込側空間１６内において熱交換器１７の熱交換面積をより広く確保することができ、熱交換性能を向上することができる。また、熱交換器１７がシロッコファン２０の外面に隣接して配置されていることになるため、熱交換器１７を筐体１１の内面から離れた位置に配置することができ、熱交換器１７と筐体１１の内面との間の空間を確保でき、空気を吸込む際の圧力損失を低減できる。
【００４４】
また、本実施形態では吹出口１４に上下方向ルーバ２５及び左右方向ルーバ２６が設けられている。そのためパネル１２の中央部３２の外周縁部３２ａに沿って吸込口１３及び吹出口１４が設けられることで吹出口１４の開口方向が制限されても、空気の吹き出し方向を広く調整することができる。
【００４５】
また、吸込口１３が吹出口１４よりも開口面積が大きくなっている。そのため吸込口１３における空気の吸込流速に比べ、吹出口１４における吹出流速を大きくでき、ショートサーキットの抑制効果を高めることができる。
【００４６】
また、パネル１２の中央部３２には室内照明３４が配設されているので、空気調和機と照明とを一体化できる。よって天井埋込型空気調和機１０が室内の天井Ｃに大きく設けてられていても、天井埋込型空気調和機１０が設置されたスペースを有効に活用でき、天井Ｃの意匠性を向上できる。特に室内照明３４にＬＥＤや有機ＥＬを用いているため、発熱量が少なく抑えられ、吸込側空間１６内での熱交換性能を悪化させることもない。
【００４７】
以上、本発明の実施の形態について図面を参照して詳述したが、具体的な構成はこの実施の形態に限られるものではなく、本発明の要旨を逸脱しない範囲の設計変更等も含まれる。
例えば、吹出口１４をパネル１２の四辺に沿って設け、パネル１２の四隅に吸込口１３を設けてもよく、吸込口１３と吹出口１４との配置位置は上述の場合に限定されない。
【００４８】
また例えば、上記では室内の空気を吸込み吹出すファンとして、一方の側面に吸込側開口部２２を有するシロッコファン（片吸込み型のシロッコファン）２０を複数用いた例について説明したが、特に限定されるものではなく、両側の側面に吸込側開口部２２を有するシロッコファン（両吸込み型のシロッコファン）を用いることも可能である。また、シロッコファン２０は筐体１１内に一つのみ設けられていてもよい。この場合、一つのディフューザ２４から複数の吹出口１４に分岐させるようにしてもよい。
【００４９】
上記では天井埋込型空気調和機１０に筐体１１の全体を天井Ｃに埋設した状態で配置したが、筐体１１の一部が室内に露出していてもよい。
上記では吸込側空間１６の周囲に平坦な板状に形成されたフィルタ１５を複数配置したが、吸込側空間１６の周囲を筒状に連続して３６０度囲むようにフィルタ１５を設けてもよい。
【００５０】
上記では熱交換器１７を全てのシロッコファン２０を纏めて取り囲むように設けたが、シロッコファン２０毎に設けることも可能であり、例えば各シロッコファン２０の吸込側開口部２２付近に熱交換器１７を配置してもよい。
【００５１】
上記ではパネル１２がパネル本体３１と中央部３２とを上下に配置して、その間隙に吸込口１３及び吹出口１４を設けたが、何ら限定されるものではない。例えばパネル１２が１枚の板状に形成され、中央部となる領域と、中央部の周囲に吸込口及び吹出口を開口させて構成することも可能である。
【００５２】
また、パネル１２には室内照明３４を設けなくともよい。この場合、パネル１２はフラットパネルとなり、すっきりとした印象を使用者に与えることができる。
【００５３】
さらに、天井埋込型空気調和機１０の運転時に、中央部３２をパネル本体３１に対して下降させることで、吸込口１３及び吹出口１４の開口面積を拡大させてもよい。
【００５４】
〔変形例〕
さらに、図５から図７に示すように、上記の天井埋込型空気調和機１０では、フィルタ１５は熱交換器１７を外周側から取り囲むように、例えば一枚布状をなしていてもよい。そしてこの場合、天井埋込型空気調和機１０は、布状のフィルタ１５を回転させるフィルタ回転装置３５と、フィルタ１５を自動で掃除可能なフィルタ掃除装置３６と、フィルタ掃除装置３６によって除去されたゴミを収集するゴミ収集箱３７と、ゴミ収集箱３７を降下させるゴミ収集箱降下装置３８とをさらに備えていてもよい。
【００５５】
フィルタ回転装置３５は、例えばフィルタ１５の外周面に固定されたラック３５ａと、ラック３５ａに噛み合うとともにフィルタ１５を周方向に移動可能に回転するピニオン３５ｂとを有している。例えばラック３５ａはフィルタ１５の外周面の上部に設けられている。
【００５６】
フィルタ掃除装置３６は、例えば上下に延びるように配置されてフィルタ１５の外周面に接触可能なブラシ３６ａと、ブラシ３６ａと併設されてフィルタ１５の外周面に接触してフィルタ１５のゴミを擦り落とすように上下に動作するスクレーパ３６ｂとを有している。スクレーパ３６ｂは、筐体１１の内面やブラシ３６ａに固定して設けることができる。
【００５７】
ゴミ収集箱３７はフィルタ１５の下部で、かつ、ブラシ３６ａ及びスクレーパ３６ｂの下部に設けられている。そして、ブラシ３６ａ及びスクレーパ３６ｂによってフィルタ１５から除去されたゴミを受ける。
【００５８】
ゴミ収集箱降下装置３８は、ゴミ収集箱３７を降下させるとともに、再び上昇させる。即ち、ゴミ収集箱降下装置３８は、モータ３８ａと、モータ３８ａによって回転されるリール３８ｂと、リール３８ｂの回転に伴ってリール３８ｂによって巻取可能であるとともに巻出し可能なワイヤ３８ｃと、を有している。ワイヤ３８ｃは、ゴミ収集箱３７に接続されている。
【００５９】
このような天井埋込型空気調和機１０では、フィルタ回転装置３５によって例えば図６（ａ）に示すように周方向にフィルタ１５を回転させたり、図６（ｂ）に示すようにフィルタ１５をロール状にして巻き取ったりする事ができる。そしてフィルタ１５を動作させつつ、ブラシ３６ａ及びスクレーパ３６ｂによってフィルタ１５を定期的に自動掃除させることができる。従って、ゴミの少ないフィルタ１５で空気調和機１０を運転する事ができ、メンテナンスなしに、圧力損失の少ない状態にフィルタ１５と保つ事ができ、羽根車２３の動力を低減することができる。
【００６０】
またゴミ収集箱降下装置３８によって、ゴミを取り除く際に脚立などを用意することなしに、スイッチ一つでゴミの入ったゴミ収集箱３７を床面付近まで降ろす事ができ、その後、所定の位置に上昇させることができる。
【符号の説明】
【００６１】
Ｃ    天井
１０  天井埋込型空気調和機
１１  筐体
１２  パネル
１３  吸込口
１４  吹出口
１５  フィルタ
１６  吸込側空間
１７  熱交換器
１８  冷媒配管
１９  ドレンパン
２０  シロッコファン
２１  スクロールケーシング
２２  吸込側開口部
２３  羽根車
２４  ディフューザ（ダクト）
２５  上下方向ルーバ
２６  左右方向ルーバ
３１    パネル本体
３１ａ  内側縁部
３２    中央部
３２ａ  外周縁部
３３    電装品
３４    室内照明
３５    フィルタ回転装置
３５ａ  ラック
３５ｂ  ピニオン
３６    フィルタ掃除装置
３６ａ  ブラシ
３６ｂ  スクレーパ
３７    ゴミ収集箱
３８    ゴミ収集箱降下装置
３８ａ  モータ
３８ｂ  リール
３８ｃ  ワイヤ
【図１】
2019011928.tif 000003
【図２】
2019011928.tif 000004
【図３】
2019011928.tif 000005
【図４】
2019011928.tif 000006
【図５】
2019011928.tif 000007
【図６】
2019011928.tif 000008
【図７】
2019011928.tif 000009